(57)【要約】【課題】複数個の盛土用ブロックを垂直方向に多段積みした場合でも、上段ブロックの縦溝と下段ブロックの縦溝とが垂直方向にストレートにつながりにくい構造を持った盛土用ブロックを提供すること。【解決手段】発泡合成樹脂製の盛土用ブロックは、長辺：短辺の寸法比が２：１である長方形状の上面及び下面、二つの長辺側面３，４並びに二つの短辺側面５，６を持った直方体形状をなす。二つの長辺側面の各々には、直方体形状の高さ方向に延びる一対の縦溝２２，２３が形成され、これらの縦溝２２，２３は、長辺を二等分する長辺等分線Ｄ１を間に挟むように配置されている。長辺等分線Ｄ１から一方の縦溝２２までの距離Ｌ１と、長辺等分線Ｄ１から他方の縦溝２３までの距離Ｌ２とが異なっている。【選択図】図３
0003182239.tif 000002
【実用新案登録請求の範囲】
【請求項１】
長辺：短辺の寸法比が２：１である長方形状の上面及び下面、並びに、前記上面と下面とを連結する二つの長辺側面及び二つの短辺側面を持った直方体形状をなす発泡合成樹脂製の盛土用ブロックであって、
前記二つの長辺側面の各々には、前記直方体形状の高さ方向に延びる一対の縦溝（２２，２３）が形成されており、前記一対の縦溝は、長辺を二等分する長辺等分線（Ｄ１）を間に挟むように配置されると共に、前記長辺等分線（Ｄ１）から一方の縦溝（２２）までの距離（Ｌ１）と、前記長辺等分線（Ｄ１）から他方の縦溝（２３）までの距離（Ｌ２）とが異なっている、ことを特徴とする盛土用ブロック。
【請求項２】
前記上面及び下面の各々には、長辺と平行に延びる長辺方向水平溝（１１）と、短辺と平行に延びると共に前記長辺側面における一対の縦溝（２２，２３）につながった一対の短辺方向水平溝（１２，１３）とが形成されており、
長辺側面から長辺方向水平溝（１１）までの距離（Ｙ）は、第１の短辺側面から一方の縦溝（２２）までの距離（Ｘ１）と異なっており、且つ、第２の短辺側面から他方の縦溝（２３）までの距離（Ｘ２）とも異なっている、ことを特徴とする請求項１に記載の盛土用ブロック。
【考案の詳細な説明】
【技術分野】
【０００１】
本考案は、盛土用ブロックに関し、特に、表面に排水用の溝が形成された発泡樹脂製の盛土用ブロックに関する。
【背景技術】
【０００２】
近年、コンクリートスラブ等でできた人工の基盤の上に設けられた庭園において緑化や築山等の要望が多く出されている。築山等を土砂だけを用いて実現することも可能であるが、すると人工基盤にかなりの荷重が掛かるため、土砂の一部に代えて、ＥＰＳ（Expanded Polystyrene）ブロック（即ち発泡ポリスチレンブロック）を用いる工法も提案されている。普通の土砂の嵩密度１４００〜２２００ｋｇ／ｍ3に対して、ＥＰＳブロックの見掛け密度は１２〜３０ｋｇ／ｍ3であるため、人工基盤上の盛土構造体としてＥＰＳブロックを積層することで人工基盤への荷重を軽減することができる。
【０００３】
但し、ＥＰＳブロックは耐水性や耐久性には優れているが、水を通す性質（通水性）を備えていない。このため、植物の生育には欠かすことができない盛土の排水性に欠ける、軽量／低密度であるが故に冠水時に浮力によってＥＰＳブロックが浮き上がり易い、という問題があった。特に排水性の悪さについては改善が求められており、ブロック表面に排水用の溝を設けたＥＰＳブロックが種々提案されている（特許文献１，２参照）。
【０００４】
例えば、特許文献１の盛土用発泡合成樹脂ブロックでは、直方体状のブロック本体の全ての面に排水用の溝が形成されている（文献１の図１〜３参照）。具体的には、ブロック本体の上面及び下面の各々には、４条の短手方向表面水平溝（２１〜２４，３１〜３４）及び２条の長手方向表面水平溝（２５＋２６，３５＋３６）が格子状に形成されている。二つの短手方向側面１ａの各々には、２条の縦溝（５１＋５２，５３＋５４）が形成されている。二つの長手方向側面１ｂの各々には、４条の縦溝（４１〜４４，４５〜４８）が形成されている。
【先行技術文献】
【特許文献】
【０００５】
【特許文献１】特開２０１１−２０８３７２号公報
【特許文献２】実用新案登録第２５１７２７８号公報
【考案の概要】
【考案が解決しようとする課題】
【０００６】
しかしながら、特許文献１の盛土用ブロックにも若干の問題点がある。すなわち、盛土用ブロックは複数個を組み合わせて（即ち垂直方向には複数段積み重ねて）使用するものであるところ、例えば、第１段を構成するブロックの上面に第２段を構成するブロックの下面が完全に重なり合うような単純な積み方（垂直方向への単純積層）をした場合に、上段（第２段）のブロックの側面に形成された縦溝と、下段（第１段）のブロックの側面に形成された縦溝とが垂直方向にストレートにつながってしまうことになる。なぜなら、特許文献１の盛土用ブロックの各側面における２条又は４条の縦溝は、その側面の水平方向長を二等分する等分線（又は等分面）に対して左右対称となる位置に配置されているからである。このような各側面における縦溝配置の対称性ゆえに、特許文献１の盛土用ブロックを多段積みした場合には、上段ブロックの縦溝と下段ブロックの縦溝とが垂直方向にストレートにつながってしまう場面が生じ易い。
【０００７】
仮に、複数個の盛土用ブロックを多段積みして築いた築山において、上段ブロックの縦溝と下段ブロックの縦溝とが垂直方向にストレートにつながってしまう箇所がたくさんあると、降雨時や播水時に築山にしみこんだ水が、縦溝を通して上段から下段に向けて落下するときの水の勢いが過度に強くなり、最下層のブロックや更にその下の人工基盤にダメージを与えてしまう。そうなると、盛土用ブロック自体が破損するおそれがあるのみならず、又、仮に盛土用ブロックが破損に到らずとも、築山の形状維持が難しくなり、築山の形崩れ時期が早まるおそれがある。
【０００８】
本考案の目的は、複数個の盛土用ブロックを想定される様々な方法で垂直方向に多段積みした場合でも、上段ブロックの縦溝と下段ブロックの縦溝とが垂直方向にストレートにつながりにくい構造を持った盛土用ブロックを提供することにある。
【課題を解決するための手段】
【０００９】
本考案は、長辺：短辺の寸法比が２：１である長方形状の上面及び下面、並びに、前記上面と下面とを連結する二つの長辺側面及び二つの短辺側面を持った直方体形状をなす発泡合成樹脂製の盛土用ブロックであって、
前記二つの長辺側面の各々には、前記直方体形状の高さ方向に延びる一対の縦溝（２２，２３）が形成されており、前記一対の縦溝は、長辺を二等分する長辺等分線（Ｄ１）を間に挟むように配置されると共に、前記長辺等分線（Ｄ１）から一方の縦溝（２２）までの距離（Ｌ１）と、前記長辺等分線（Ｄ１）から他方の縦溝（２３）までの距離（Ｌ２）とが異なっている、ことを特徴とする。
【００１０】
更に好ましくは、上記の盛土用ブロックにおいて、
前記上面及び下面の各々には、長辺と平行に延びる長辺方向水平溝（１１）と、短辺と平行に延びると共に前記長辺側面における一対の縦溝（２２，２３）につながった一対の短辺方向水平溝（１２，１３）とが形成されており、
長辺側面から長辺方向水平溝（１１）までの距離（Ｙ）は、第１の短辺側面から一方の縦溝（２２）までの距離（Ｘ１）と異なっており、且つ、第２の短辺側面から他方の縦溝（２３）までの距離（Ｘ２）とも異なっている、ことを特徴とする。
【考案の効果】
【００１１】
本考案によれば、長辺等分線（Ｄ１）から一方の縦溝（２２）までの距離（Ｌ１）と、長辺等分線（Ｄ１）から他方の縦溝（２３）までの距離（Ｌ２）とを異ならせるという構成を採用したことで、複数の盛土用ブロックを例えば単純垂直積み（図５参照）したような場合でも、上下のブロック間において縦溝（２２，２３）が垂直方向にストレートに連通するのを回避するような積み方を選択することができる。従って、縦溝を流れる水が過度に勢いづくのを回避して、最下層の盛土用ブロックや人工基盤のダメージを防止ないし抑制することができる。
【００１２】
また本考案によれば、長辺側面から長辺方向水平溝（１１）までの距離（Ｙ）を、第１の短辺側面から一方の縦溝（２２）までの距離（Ｘ１）とも、第２の短辺側面から他方の縦溝（２３）までの距離（Ｘ２）とも異ならせるという構成を採用したことで、複数の盛土用ブロックを例えば交差垂直積み（図６，７参照）したような場合でも、上段ブロックの縦溝（２２，２３）と下段ブロックの長辺方向水平溝（１１）とがストレートに連通するのを回避することができる。従って、縦溝を流れる水が過度に勢いづくのを回避して、最下層の盛土用ブロックや人工基盤のダメージを防止ないし抑制することができる。
【図面の簡単な説明】
【００１３】
【図１】本考案の一実施形態に従う盛土用ブロックの斜視図。
【図２】図１の盛土用ブロックを示し、（Ａ）は正面図（上面を示す図）、（Ｂ）は平面図（短辺側面を示す図）、（Ｃ）は右側面図（長辺側面を示す図）。
【図３】各溝の位置を説明するための図。
【図４】溝の横断面形状を示す拡大断面図。
【図５】複数の盛土用ブロックを単純垂直積みしたときの斜視図。
【図６】複数の盛土用ブロックを交差垂直積みしたときの斜視図。
【図７】複数の盛土用ブロックを交差垂直積みしたときの平面図。
【考案を実施するための形態】
【００１４】
本考案の一実施形態に従う盛土用ブロックを、図面を参照しつつ説明する。なお、以下の説明では各部位の具体的寸法を示すが、寸法は例示的なものであり、適宜変更可能なものであることは言うまでもない。
【００１５】
図１及び図２に示すように、盛土用ブロックは直方体形状の中実構造体であり、発泡合成樹脂（例えば、発泡ポリスチレン）で作られている。盛土用ブロックは、長辺：２０００ｍｍ×短辺：１０００ｍｍ×高さ辺：５００ｍｍの直方体形状であり、当該ブロックの上面１及び下面２は、長辺：短辺の寸法比が２：１の長方形状をなしている。本明細書では、盛土用ブロックの上面１と下面２とを連結する四つの側面（３〜６）のうち、長辺に沿った一対の側面３，４を「長辺側面」と呼び、短辺に沿った一対の側面５，６を「短辺側面」と呼ぶことにする。また、後述するように、長辺側面３，４に形成される複数の縦溝の配置が非対称配置であることから、盛土用ブロックの長辺方向（長手方向）における両端部は等価ではない。それ故、長辺方向における一端側と他端側とを区別するために、一方の端側を「頭」又は「頭側」、他方の端側を「尾」又は「尾側」と呼ぶことにする。便宜上、二つの短辺側面５，６のうちの一方を「頭側の短辺側面５」と呼び、他方を「尾側の短辺側面６」と呼ぶものとする。
【００１６】
図１及び図２（Ａ）からわかるように、上面１及び下面２の各々には、長辺と平行に延びる２条の長辺方向水平溝（１１，１１）と、短辺と平行に延びる４条の短辺方向水平溝（１２，１３，１４，１５）とが形成されている。長辺方向水平溝１１と短辺方向水平溝１２〜１５とは互いに直角交差し、上面１及び下面２に格子状の溝パターンを刻印している。長辺方向水平溝１１の各々の両端部は、短辺側面５，６にまでは達しておらず、短辺側面５，６のやや手前にとどまって閉じた端部となっている。他方、短辺方向水平溝１２〜１５の各々の両端部はそれぞれ長辺側面３，４にまで達しており、長辺側面３，４に対して開口した開いた端部となっている。
【００１７】
図１及び図２（Ｂ）からわかるように、二つの長辺側面３，４の各々には、高さ辺と平行に延びる４条の縦溝（２２，２３，２４，２５）が形成されている。これら４条の縦溝２２〜２５はそれぞれ前記短辺方向水平溝１２〜１５に対応している。また、縦溝２２〜２５の各々の両端部（上端部及び下端部）はそれぞれ上面１及び下面２にまで達しており、上下面１，２に対して開口した開いた端部となっている。その結果、縦溝２２，２３，２４，２５はそれぞれ短辺方向水平溝１２，１３，１４，１５とつながっている。
なお、本実施形態では、二つの短辺側面５，６に溝の類は形成されていない。
【００１８】
次に、主として図３を参照して各面における溝の配置について説明する。なお、本実施形態の盛土用ブロックにおいては、長辺側面３，４及び上下面１，２を長辺方向において二等分する長辺等分線Ｄ１（又は長辺等分面Ｄ１）、並びに、短辺側面５，６及び上下面１，２を短辺方向において二等分する短辺等分線Ｄ２（又は短辺等分面Ｄ２）を想定することができる（図２参照）。
【００１９】
本実施形態では、各長辺側面に形成された４条の縦溝２２〜２５のうち、頭側の短辺側面５に最も近い第１の縦溝２２と、尾側の短辺側面６に最も近い第２の縦溝２３とが一対をなすと共に、両縦溝２２，２３は長辺等分線Ｄ１を間に挟むように配置されている。加えて、長辺等分線Ｄ１から第１の縦溝２２までの距離Ｌ１と、長辺等分線Ｄ１から第２の縦溝２３までの距離Ｌ２とが異なっている。具体的には、頭側の短辺側面５から第１の縦溝２２までの距離Ｘ１＝１７８ｍｍに設定され、Ｌ１＝１０００−Ｘ１＝８２２ｍｍとなっている。また、尾側の短辺側面６から第２の縦溝２３までの距離Ｘ２＝１２０ｍｍに設定され、Ｌ２＝１０００−Ｘ２＝８８０ｍｍとなっている。
【００２０】
同様に、頭側の短辺側面５に２番目に近い第３の縦溝２４と、尾側の短辺側面６に２番目に近い第４の縦溝２５とが一対をなすと共に、両縦溝２４，２５は長辺等分線Ｄ１を間に挟むように配置されている。加えて、長辺等分線Ｄ１から第３の縦溝２４までの距離Ｌ３と、長辺等分線Ｄ１から第４の縦溝２５までの距離Ｌ４とが異なっている。具体的には、Ｌ３＝１１２ｍｍ、Ｌ４＝１３６ｍｍとなっている。
【００２１】
また、上面１又は下面２に形成された２条の長辺方向水平溝１１は、短辺等分線Ｄ２を間に挟むように且つ短辺等分線Ｄ２から等距離となるように位置決めされている（即ちＤ２を中心とした対称配置）。それ故、直近の長辺側面３，４から各長辺方向水平溝１１までの距離Ｙは等しく、具体的にはＹ＝２０３ｍｍに設定されている。そして本実施形態では特に、この距離Ｙ（＝２０３ｍｍ）、前記距離Ｘ１（＝１７８ｍｍ）及び距離Ｘ２（＝１２０ｍｍ）の三者が、互いに異なる値に設定されている。
【００２２】
図４は、本実施形態の全ての溝（１１〜１５，２２〜２５）に共通した溝の横断面形状を示す。本実施形態では、各溝の深さｄ＝１０ｍｍ、各溝の上端開口縁における溝幅Ｗ１＝６０ｍｍ、各溝の水平底面４１の幅Ｗ２＝４０ｍｍに設定されている。各溝の二つの内側壁面４２は、溝の水平底面４１の左右端と溝上端の左右縁４３，４４とをそれぞれつなぐ曲率半径Ｒ＝１０ｍｍの円弧状湾曲面によって形成されている。
【００２３】
本実施形態の盛土用ブロックに形成された溝（１１〜１５，２２〜２５）は基本的に全て排水用の溝として機能する。即ち、ブロック上面１に注がれた水や、築山の盛土内を浸透してブロック上面１に達した水は、上面１に格子状に設けられた長辺方向水平溝１１及び短辺方向水平溝１２〜１５に集められる。水平溝群に集められた水は、短辺方向水平溝１２〜１５の各端部を介してそれぞれ対応する縦溝２２〜２５に導かれ、これら縦溝に沿って長辺側面３，４を垂直に流れ落ち、下面２の高さ位置まで落下する。
【００２４】
次に、本実施形態の盛土用ブロックの幾つかの使用例を説明する。
【００２５】
図５は、２個の盛土用ブロックを上下二段に単純垂直積みした使用例を示す。ここで「単純垂直積み」とは、下段ブロックの上面１の全面に上段ブロックの下面２の全面が完全一致するような積み方、換言すれば、下段ブロックの二つの長辺側面（３，４）の直上に上段ブロックの二つの長辺側面が位置すると共に、下段ブロックの二つの短辺側面（５，６）の直上に上段ブロックの二つの短辺側面が位置するような積み方をいう。但し、本実施形態の盛土用ブロックには、長辺方向において「頭」「尾」の区別があるため、図５に示すように、下段ブロックの頭尾の配向とは逆向きに上段ブロックの頭尾を配置することができる。具体的には、下段ブロックの頭側の短辺側面５の直上に上段ブロックの尾側の短辺側面６が位置すると共に、下段ブロックの尾側の短辺側面６の直上に上段ブロックの頭側の短辺側面５が位置するような態様で単純垂直積みをすることができる。
【００２６】
図５の積み方によれば、上下のブロック間において一方のブロックの第１縦溝２２と他方のブロックの第２縦溝２３とは、垂直方向にストレートに連通しない。これは、前述の距離Ｌ１と距離Ｌ２とを異ならせた効果である。故に、例えば上段ブロックの第１縦溝２２（又は第２縦溝２３）に沿って流れ落ちる水は、下段ブロックの上面１に一旦ぶつかって勢いをそがれることになる。図５の態様で３個以上の盛土用ブロックを多段に単純垂直積みした場合、各段のブロックの第１縦溝２２又は第２縦溝２３に沿って流れ落ちる水は、その直下の段のブロック上面１によって、段を一段下る毎に勢いをそがれるため、流れ落ちる水は、最下段のブロックや人工基盤に重大なダメージを与えるほどの運動エネルギーを得るに到らない。
【００２７】
更に図５によれば、上下のブロック間において一方のブロックの第３縦溝２４と他方のブロックの第４縦溝２５とは、前述の距離Ｌ３と距離Ｌ４とを異ならせた効果で、垂直方向に完全な形でストレートには連通しない。より正確には、上下の位置関係にある第３縦溝２４と第４縦溝２５とは部分的に重なる形でつながっているが、この部分的な重なり故に第３縦溝２４と第４縦溝２５との境界位置には、下段ブロックの上面１の一部によって「段差」又は「段差面」が提供されることになる。このため、例えば上段ブロックの第３縦溝２４（又は第４縦溝２５）に沿って流れ落ちる水の一部は、前記段差（面）によって勢いをそがれた後、下段ブロックの第４縦溝２５（又は第３縦溝２４）に流入することになる。よって、上下の位置関係にある第３縦溝２４及び第４縦溝２５を流れ落ちる水も、あまり大きな運動エネルギーを得ることはできない。
【００２８】
図６及び図７は、４個の盛土用ブロックを使って上下二段に交差垂直積みした使用例を示す（但し理解し易さの観点から、図６では２個のブロックのみを、図７では３個のブロックのみを図示する）。ここで「交差垂直積み」とは、上下のブロックを互いに直角交差した配置関係とすることで、下段ブロックの上面１の半面に上段ブロックの下面２の半面が一致するような積み方をいう。換言すれば、下段ブロックの一つの長辺側面（３又は４）の直上に上段ブロックの一つの短辺側面（５又は６）が位置すると共に、下段ブロックの一つの短辺側面（５又は６）の直上に上段ブロックの一つの長辺側面（３又は４）が位置するような積み方をいう。具体的には、図６及び図７では、長辺側面が互いに接触するように隣接配置された２個のブロックで下段ブロック群を構成し、同様に長辺側面が互いに接触するように隣接配置された別の２個のブロックで上段ブロック群を構成すると共に、下段ブロック群の長辺方向と上段ブロック群の長辺方向とが直角に交差するような態様で４個のブロックを積み上げている。
【００２９】
図６及び図７の積み方によれば、そもそも本実施形態の盛土用ブロックの短辺側面（５，６）には排水溝が一切設けられていないので、上下のブロック間において一方のブロックの４つの縦溝２２〜２５と、他方のブロックの４つの縦溝２２〜２５とが連通するような状況は出現し得ない。
【００３０】
また図６及び図７からわかるように、２個の上段ブロックにおいて、相手側の上段ブロックに接している長辺側面（図６に示す上段ブロックにあっては長辺側面３）に形成された４つの縦溝２２〜２５のいずれも、その上段ブロックの直下に位置する２個の下段ブロックの各上面１に設けられた合計４条の長辺方向水平溝１１とストレートに連通することはない。特に図７に示すように、上段ブロック（１）の長辺側面３の第２縦溝２３は、下段ブロック（１）上面の第１の長辺方向水平溝１１とは全く連通せず、上段ブロック（１）の長辺側面３の第４縦溝２５は、下段ブロック（１）上面の第２の長辺方向水平溝１１とは全く連通せず、上段ブロック（１）の長辺側面３の第３縦溝２４は、下段ブロック（２）上面の第１の長辺方向水平溝１１とは全く連通しない。また、上段ブロック（１）の長辺側面３の第１縦溝２２についても、下段ブロック（２）上面の第２の長辺方向水平溝１１とは完全ストレートには連通していない。これらは、前述の距離Ｙと距離Ｘ１とを異ならせると共に、距離Ｙと距離Ｘ２とを異ならせた効果である。
【００３１】
上段ブロックの縦溝２２〜２５と、その直下に位置する下段ブロックの上面の長辺方向水平溝１１とが少なくともストレートには連通しないことで、各縦溝を流れ落ちる水は直接的に長辺方向水平溝１１に進入せず、下段ブロックの上面１に一旦ぶつかって勢いをそがれることになる。尚、図７では、上段ブロック（１）の長辺側面３の第１縦溝２２は、下段ブロック（２）上面の第２の長辺方向水平溝１１に部分的に重なる形でつながっているが、この部分的な重なり故に、当該第１縦溝２２と長辺方向水平溝１１との境界位置には下段ブロック（２）の上面の一部によって「段差」又は「段差面」が提供されることになる。このため、第１縦溝２２に沿って流れ落ちる水の一部は、前記段差（面）によって勢いをそがれた後、下段ブロック（２）の長辺方向水平溝１１に流入することになる。従って、各段のブロックの縦溝２２〜２５を流れ落ちる水は、最下段のブロックや人工基盤に重大なダメージを与えるほどの運動エネルギーを得るに到らない。
【００３２】
以上二つの使用例で説明したように、本実施形態の盛土用ブロックによれば、上段ブロックの長辺側面に形成された縦溝２２〜２５と、下段ブロックにおける長辺側面の縦溝２２〜２５又は上面の長辺方向水平溝１１との間で、溝が垂直方向に完全ストレートに連通することがない。それ故、盛土用ブロックの縦溝２２〜２５を流れ落ちる水が過度に勢いづくことがなく、最下段のブロックや人工基盤に重大なダメージを与える心配が無い。
【００３３】
なお、図５に示したような単純垂直積み、図６，７に示したような交差垂直積み以外にも、盛土用ブロックの積み方は種々あり得るが、本実施形態の盛土用ブロックは、等分線Ｄ１を間に挟んで一対をなす縦溝が等分線Ｄ１に対して非対称となるような配置を採用しているため、想定されるほとんどの積み方で、上段ブロックの縦溝２２〜２５と下段ブロックの縦溝２２〜２５との間で完全ストレート連通を回避できる可能性が高い。
【００３４】
＜その他の効果＞
本実施形態では、各溝を構成する内側壁面４２を曲率半径Ｒの湾曲面で構成している（図４）。つまり、水平底面４１をも含めて溝構成壁には角張った箇所がなく、溝を流れる雨水等によって溝が浸食され難い。また、角が無いことで、雨水等によって運ばれるゴミ等が引っ掛からず、ゴミの滞留によって溝が塞がれる心配が無い。また、溝内にカビ等も発生し難くなる。更に、溝構成壁に角張った箇所があると、盛土が人に踏まれたときの圧力によって応力が当該角部に集中し、その角部を起点としてクラック（割れ）が生じるおそれがあるが、本実施形態の溝構造によれば、クラック発生の危険性を低減することができる。
【００３５】
本実施形態では、各溝の上端開口縁の溝幅Ｗ１を６０ｍｍにとどめることで、人の足や靴が引っ掛かり難くなっている。また、溝の深さｄは上端開口縁の溝幅Ｗ１に比べてたいへん浅くなっているため、この点からも人の足や靴が溝に引っ掛かり難い。従って本実施形態の盛土用ブロックによれば、作業現場において作業員の躓きや転倒事故を生じ難く、高い安全性が確保される。
【符号の説明】
【００３６】
１  上面
２  下面
３，４  長辺側面
５，６  短辺側面
１１  長辺方向水平溝
１２〜１５  短辺方向水平溝
２２，２３  一対をなす第１及び第２の縦溝
２４，２５  一対をなす第３及び第４の縦溝
Ｄ１  長辺等分線（又は長辺等分面）
Ｄ２  短辺等分線（又は短辺等分面）
【図１】
0003182239.tif 000003
【図２】
0003182239.tif 000004
【図３】
0003182239.tif 000005
【図４】
0003182239.tif 000006
【図５】
0003182239.tif 000007
【図６】
0003182239.tif 000008
【図７】
0003182239.tif 000009